(57)【要約】【課題】従来の取付構造にあっては、化粧カバー受け体と化粧カバーが変形し易く、外力を受けた際に、化粧カバーが外れる虞があるという問題点があった。【解決手段】建物開口部Ａの周縁に固定する枠体Ｆと、枠体Ｆに装着するカバーＣ１を備え、枠体Ｆは、固定片３Ａと、受け部８Ａを備え、カバーＣ１は、受け部８Ａに係合する係合部１０Ａと、係合部１０Ａよりも枠外周側に形成した中空部１０Ｂと、係合部１０Ａよりも枠外周側で建物外壁との間にシーリングポケットＰを形成するポケット形成部１０Ｃを備えている開口部装置とし、カバーＣ１を変形し難いものにして、カバーＣ１の装着を容易にし、外力を受けてもカバーＣ１の装着状態を強固に維持し得るものとした。【選択図】図３
2014163119.tif 000002
【特許請求の範囲】
【請求項１】
建物開口部の周縁に固定する枠体と、枠体に装着するカバーを備え、
枠体は、当該枠体を建物外壁に固定するための固定片と、固定片の位置でカバーを装着するための受け部を備え、
カバーは、枠体の受け部に係合する係合部と、係合部よりも枠外周側に形成した中空部と、係合部よりも枠外周側で建物外壁との間にシーリングポケットを形成するポケット形成部を備えていることを特徴とする開口部装置。
【請求項２】
建物開口部の周縁に固定する枠体と、枠体に装着するカバーを備え、
枠体は、当該枠体を建物外壁に固定するための固定片と、固定片の位置でカバーを装着するための受け部を備え、
カバーは、枠体の受け部に係合する係合部と、係合部よりも枠外周側に形成した延出片と、延出片の先端に連続して建物外壁との間にシーリングポケットを形成するポケット形成部と、ポケット形成部の先端から係合部側に突出するガイド片を備えていることを特徴とする開口部装置。
【発明の詳細な説明】
【技術分野】
【０００１】
本発明は、例えば、既存の窓の屋外側に後付けシャッター等の開閉体を取り付ける際に用いられる開口部装置に関するものである。
【背景技術】
【０００２】
従来の開口部装置としては、後付けシャッターの取付構造の名称で特許文献１に記載されているものがある。特許文献１に記載の取付構造は、建物開口部の周縁に固定する取付枠体と、取付枠体に装着する化粧カバーを備えている。取付枠体は、その枠外周側に突出した取付片に、化粧カバー受け体を配置し、この化粧カバー及び取付片に貫通させたねじによって建物外壁に固定してある。化粧カバー受け体は、断面概略Ｕ形状を成す部材であり、Ｕ形状の両端を一対の係止片としている。
【０００３】
一方、化粧カバーは、断面概略Ｕ形状を成す部材であり、Ｕ形状の両端を一対の係合片とし、両係合片を化粧カバー受け体の両係止片の外側に嵌め込むようにして装着する。その後、化粧カバーと取付枠体との間、及び化粧カバーと建物外壁との間に、コーキング材を夫々充填して、装着完了となる。
【先行技術文献】
【特許文献】
【０００４】
【特許文献１】特開２００９−９１８９８号公報
【発明の概要】
【発明が解決しようとする課題】
【０００５】
しかしながら、上記したような従来の取付構造にあっては、互いに嵌合する化粧カバー受け体及び化粧カバーが、共に断面Ｕ形状を成す部材であり、いずれも捩れるように変形し易いことから、コーキング材の加圧充填などの外力を受けた際に、化粧カバーが外れる虞があるという問題点があり、このような問題点を解決することが課題であった。
【０００６】
本発明は、上記従来の課題に着目して成されたもので、建物開口部の周縁に固定する枠体と、枠体に装着するカバーを備えた開口部装置において、カバーの装着が容易であると共に、外力を受けてもカバーの装着状態を強固に維持することができる開口部装置を提供することを目的としている。
【課題を解決するための手段】
【０００７】
本発明に係わる開口部装置は、建物開口部の周縁に固定する枠体と、枠体に装着するカバーを備え、枠体は、当該枠体を建物外壁に固定するための固定片と、固定片の位置でカバーを装着するための受け部を備え、カバーは、枠体の受け部に係合する係合部と、係合部よりも枠外周側に形成した中空部と、係合部よりも枠外周側で建物外壁との間にシーリングポケットを形成するポケット形成部を備えている構成としており、上記構成をもって従来の課題を解決するための手段としている。
【０００８】
また、本発明に係わる開口部装置は、建物開口部の周縁に固定する枠体と、枠体に装着するカバーを備え、枠体は、当該枠体を建物外壁に固定するための固定片と、固定片の位置でカバーを装着するための受け部を備え、カバーは、枠体の受け部に係合する係合部と、係合部よりも枠外周側に形成した延出片と、延出片の先端に連続して建物外壁との間にシーリングポケットを形成するポケット形成部と、ポケット形成部の先端から係合部側に突出するガイド片を備えている構成としており、上記構成をもって従来の課題を解決するための手段としている。
【発明の効果】
【０００９】
本発明に係わる開口部装置は、固定片及び受け部を有する枠体と、係合部、中空部及びポケット形成部を有するカバーを採用したことから、カバーが、枠外周側の中空部によって変形し難いものとなる。そして、開口部装置は、枠体にカバーを装着する際には、枠内周側の係合部が弾性変形してカバーを容易に装着することができ、また、カバーが、枠外周側のシーリングポケットに対するコーキング材の加圧充填といった外力を受けても、同じく枠外周側の中空部により変形し難いので、簡単に外れることがなく、カバーの装着状態を強固に維持することができる。
【００１０】
本発明に係わる開口部装置は、固定片及び受け部を有する枠体と、係合部、延出片、ポケット形成部及びガイド片を有するカバーを採用したことから、枠体にカバーを装着する際には、枠内周側の係合部が弾性変形してカバーを容易に装着することができ、また、カバーが、枠外周側のシーリングポケットに対するコーキング材の加圧充填といった外力を受けても、同じく枠外周側の延出片が弾性変形して外力を吸収するので、簡単に外れることがなく、カバーの装着状態を強固に維持することができる。
【図面の簡単な説明】
【００１１】
【図１】本発明に係わる開口部装置が適用可能な後付けシャッターを説明する垂直断面図である。
【図２】図１に示す後付けシャッターの水平断面図である。
【図３】本発明に係わる開口部装置の一実施形態において、カバー装着前の状態を示す要部の水平断面図（Ａ）及びカバー装着後の状態を示す要部の水平断面図（Ｂ）である。
【図４】本発明に係わる開口部装置の他の実施形態を示す要部の水平断面図である。
【図５】本発明に係わる開口部装置のさらに他の実施形態を示す要部の水平断面図である。
【図６】本発明に係わる開口部装置のさらに他の実施形態において、カバー装着前の状態を示す要部の水平断面図（Ａ）及びカバー装着後の状態を示す水平断面図（Ｂ）である。
【発明を実施するための形態】
【００１２】
図１及び図２は、本発明の開口部装置が適用可能な後付けシャッターを説明する図である。図示の後付けシャッターＳは、建物開口部Ａにおける既存の窓Ｗの屋外側に取り付けられる。図示例の窓Ｗは、引き違い式に開閉操作する二枚の障子Ｔ，Ｔを備えている。
【００１３】
なお、以下の説明において、図１では、枠体Ｆの躯体開口部Ａ側を枠内周側とし、その上側及び下側を枠外周側とする。また、図２では、枠体Ｆの躯体開口部Ａ側を枠内周側とし、その左右両側を枠外周側とする。さらに、図３〜図６では、各図中の左側を枠内周側とし、右側を枠外周側とする。
【００１４】
後付けシャッターＳは、建物開口部Ａの周縁に固定する枠体Ｆを備えている。枠体Ｆは、概略として、上枠材１と，下枠材２と、左右の竪枠材３，３と、上枠材１の上部に沿って配置したケース４と、竪枠材３，３の屋外側端部に沿って設けたガイド枠材５，５を備えている。これらの各部材１〜５は、いずれも長手方向にわたって所定の断面形状を連続させた長尺部材である。
【００１５】
ケース４には、シャッター６を巻き上げるローラ７や、ローラ７を回転駆動する機構（図示せず）などが収容してある。シャッター６は、収容体４の底部から引き出されると共に、両側のガイド枠材５，５案内されて開閉するようになっている。
【００１６】
本発明の開口部装置は、上記の後付けシャッターＳにおいて、枠体Ｆを構成する竪枠材３の枠外周側（左右両側）、及び同じく枠体Ｆを構成するケース４の枠外周側（上側）に設けてある。すなわち、開口部装置は、図３に枠体Ｆの竪枠材３の部分を示すように、建物開口部Ａの周縁に固定する枠体Ｆと、枠体Ｆに装着するカバーＣ１を備えている。
【００１７】
枠体Ｆを構成する竪枠材３は、当該枠体Ｆを建物外壁に固定するための固定片３Ａと、固定片３Ａの位置でカバーＣ１を装着するための受け部８Ａを備えている。この実施形態の竪枠材３は、別体の受け材８を備えている。受け材８は、受け部８Ａを構成する一対の係止片８Ｂ，８Ｂと、両係止片８Ｂ，８Ｂの外側面から突出する規制片８Ｃ，８Ｃを有しており、固定片３Ａに重ねて配置される。
【００１８】
そして、竪枠材３は、受け材８及び固定片３Ａに貫通させたねじ９により建物外壁に固定され、その後、受け材８にカバーＣ１を装着する。つまり、カバーＣ１は、ねじ９の頭部を覆い隠す化粧材の機能を有するものである。
【００１９】
カバーＣ１は、枠体Ｆの受け部８Ａに係合する係合部１０Ａと、係合部１０Ａよりも枠外周側に形成した中空部１０Ｂと、係合部１０Ａよりも枠外周側で建物外壁との間にシーリングポケットＰを形成するポケット形成部１０Ｃを備えている
【００２０】
より具体的には、カバーＣ１は、屋外側の表面を形成する見付片１０Ｄを有し、見付片１０Ｄの枠内周側（図中左側）に、建物外壁に向けて突出する見込片１０Ｅを有すると共に、見付片１０Ｄの枠外周側（図中右側）に、断面矩形状の上記中空部１０Ｂを有している。
【００２１】
そして、カバーＣ１は、見込片１０Ｅの先端部近傍と、これに相対向する中空部１０Ｂの側壁に、上記係合部１０Ａを構成する一対の突起１０Ｆ，１０Ｆが設けてあり、また、中空部１０Ｂの躯体外壁側に突片１０Ｇを設けて、この突片１０Ｇと躯体外壁側の面１０Ｈの二面で上記ポケット形成部１０Ｃを構成している。なお、カバーＣ１は、突片１０Ｇの枠内外方向の位置を変えることで、シーリングポケットＰの深さを任意に設定することができる。
【００２２】
上記のカバーＣ１は、竪枠材３を構成する受け材８の受け部８Ａに、係合部１０Ａを被せるようにして装着する。より具体的には、受け部８Ａを構成する両係止片８Ｂ，８Ｂの外側に、係合部１０Ａを構成する両突起１０Ｆ，１０Ｆを弾性的に係合させる。この際、カバーＣ１は、受け材８の規制片８Ｃ，８Ｃに当接して位置決めされ、受け部８Ａと係合部１０Ａとの係合状態を維持する。
【００２３】
その後、開口部装置は、とくに図３（Ｂ）に示すように、ポケット形成部１０Ｃと建物外壁との間に形成したシーリングポケットＰに、コーキング材Ｂを充填して取り付けが完了となる。また、図３には、竪枠材３の部分を示したが、図１に示すケース４の枠外周側にも同様の構成が設けてある。
【００２４】
上記実施形態で説明した開口部装置は、カバーＣ１が、枠外周側の中空部１０Ｂによって変形し難いホロー材（中空材）となる。そして、開口部装置は、枠体ＦにカバーＣ１を装着する際には、枠内周側の係合部１０Ａが弾性変形してカバーＣ１を容易に装着することができる。また、開口部装置は、カバーＣ１が、枠外周側のシーリングポケットＰに対するコーキング材Ｂの加圧充填といった外力を受けても、上述の如く枠外周側の中空部１０Ｂにより変形し難いので、簡単に外れることもなく、カバーＣ１の装着状態を強固に維持することができる。
【００２５】
図４及び図５は、本発明に係わる開口部装置の他の実施形態を示す図である。なお、先の実施形態と同一の構成部位は、同一符号を付して詳細な説明を省略する。
【００２６】
図４及び図５に示す開口部装置は、カバーＣ１の係合部１０Ａが、枠体Ｆの受け部８Ａの両側に係合する一対の突起１０Ｆ，１０Ｆから成ると共に、少なくとも一方の突起１０Ｆに、枠体Ｆの受け部８Ａとの係合を案内するガイド面１０Ｍを設けた構成である。
【００２７】
図４に示す実施形態におけるガイド面Ｍは、中空部１０Ｂの側壁に設けた突起１０Ｆに連続する傾斜面状を成している。また、図５に示す実施形態におけるガイド面１０Ｍは、中空部１０Ｂの側壁に設けた突起１０Ｆに連続する湾曲面状を成している。
【００２８】
上記のカバーＣ１を備えた各実施形態の開口部装置は、枠体Ｆの受け部８ＡにカバーＣ１を装着する際、ガイド面１０Ｍと受け部８Ａを構成する片方の係止片８Ｂとが当接し、ガイド面１０Ｍの案内により、枠体Ｆに対するカバーＣ１の装着を円滑に行うことができる。このようにして、開口部装置は、先の実施形態と同様に、カバーＣ１の装着が容易であると共に、外力を受けてもカバーＣ１の装着状態を強固に維持することができる
【００２９】
図６は、本発明に係わる開口部装置のさらに他の実施形態を説明する図である。図６（Ａ）に示す開口部装置は、先の実施形態と同様に、枠体Ｆを構成する竪枠材３が、別体の受け材１８を備えている。図示の受け材１８は、受け部１８Ａを構成する一対の係止片１８Ｂ，１８Ｂを有しており、また、枠内周側（図中左側）の係止片１８Ｂは、外側面に、係止突起１８Ｃを有している。他方、枠外周側（図中右側）の係止片１８Ｂは、中間部を内側に屈曲させて段状の規制部１８Ｄを形成している。
【００３０】
カバーＣ２は、枠体Ｆの受け部８Ａに係合する係合部２０Ａと、係合部２０Ａよりも枠外周側に形成した延出片２０Ｂと、延出片２０Ｂの先端に連続して建物外壁との間にシーリングポケットＰを形成するポケット形成部２０Ｃと、ポケット形成部２０Ｃの先端から係合部２０Ａ側に突出するガイド片２０Ｄを備えている。
【００３１】
より具体的には、カバーＣ２は、先の実施形態と同様に、屋外側の表面を形成する見付片２０Ｅを有し、見付片２０Ｅの枠内周側（図中左側）に、建物外壁に向けて突出する見込片２０Ｆを有すると共に、見付片２０Ｅの中間部に、建物外壁側への中間突片２０Ｇを有し、さらに、見付片２０Ｅの枠外周側（図中右側）に、建物外壁側に向けて突出する延出片２０Ｂを有している。
【００３２】
そして、カバーＣ２は、見込片２０Ｆの先端部近傍と、中間突片２０Ｇの先端部に、上記係合部２０Ａを構成する一対の突起２０Ｈ，２０Ｈが設けてあり、また、延出片２０Ｂの先端に、湾曲面状の上記ポケット形成部２０Ｃ及び上記ガイド片２０Ｄを有している。さらに、カバーＣ２は、中間突片２０Ｇの先端に、突起２０Ｈに連続する傾斜面状のガイド面２０Ｍを有している。なお、カバーＣ２は、ガイド片２０Ｄの枠内外方向の位置が変化するようにポケット形成部２０Ｃの曲面長さを変えることで、シーリングポケットＰの深さを任意に設定することができる。
【００３３】
上記実施形態で説明した開口部装置は、先の実施形態と同様に、枠体Ｆである竪枠材３の受け部８ＡにカバーＣ２を装着することとなり、この際、ガイド片２０Ｄの先端が受け材１８の側面に当接して、カバーＣ２を案内すると共に、中間突片２０Ｇとガイド片２０Ｄとの間に、受け材１８の係止片１８Ｂが誤って入り込むような事態を防止する。このようにして、開口部装置は、カバーＣ２を正しい位置に案内しつつ、枠内周側の係合部２０Ａを弾性変形させて同カバーＣ２を容易に装着することができる。
【００３４】
また、カバーＣ２は、図６（Ｂ）に示すように、見込片２０Ｆの先端が竪枠材３の固定片３Ａに当接すると共に、ガイド面２０Ｍの先端が段状の規制部１８Ｄに当接して、位置決めされ且つ装着状態を維持する。そして、開口部装置は、シーリングポケットＰに、コーキング材Ｂを充填して、取り付けが完了となる。このとき、開口部装置は、カバーＣ２が、枠外周側のシーリングポケットＰに対するコーキング材Ｂの加圧充填といった外力を受けても、同じく枠外周側の延出片２０Ｂが弾性変形して外力を吸収することとなり、簡単に外れることもなく、カバーＣ２の装着状態を強固に維持することができる。
【００３５】
さらに、上記の開口部装置は、枠体Ｆの受け部８ＡにカバーＣ２を装着する際、ガイド面２０Ｍと受け部８Ａを構成する片方の係止片８Ｂとが当接し、先のガイド片２０Ｄによる案内機能と、ガイド面１０Ｍによる案内機能とが相俟って、枠体Ｆに対するカバーＣ１の装着をより一層円滑に行うことができる。
【００３６】
なお、本発明に係わる開口部装置は、その構成が上記各実施形態のみに限定されるものではなく、本発明の要旨を逸脱しない範囲で、部材の具体的形状などの構成の細部を適宜変更することが可能である。また、上記各実施形態では、枠体Ｆを構成する竪枠材３と受け材８とが別体である構成を例示したが、竪枠材３の固定片３Ａに受け部８Ａ（係止片８Ｂ）を一体的に設けることも可能である。さらに、本発明の開口部装置は、後付けシャッターのほか、建物開口部の周縁に取り付けられる各種開閉体並びに各種枠体に適用することが可能である。
【符号の説明】
【００３７】
Ａ建物開口部
Ｃ１，Ｃ２  カバー
Ｆ  枠体
Ｐ  シーリングポケット
３Ａ  固定片
８Ａ  受け部
１０Ａ  係合部
１０Ｂ  中空部
１０Ｃ  ポケット形成部
２０Ａ  係合部
２０Ｂ  延出片
２０Ｃ  ポケット形成部
２０Ｄ  ガイド片
【図１】
2014163119.tif 000003
【図２】
2014163119.tif 000004
【図３】
2014163119.tif 000005
【図４】
2014163119.tif 000006
【図５】
2014163119.tif 000007
【図６】
2014163119.tif 000008